(57)【要約】  移動体通信において、非セルラ通信を行う通信端末が、サービスを提供するサービスネットワークにアクセスすることを課題とする。移動体通信のコアネットワークを構成する通信システム８により実行されるネットワークアクセス方法であり、非セルラ通信を行うＵＥ７を、サービスを提供するスライス５にアクセスさせるネットワークアクセス方法であって、ＵＥ７から当該ＵＥ７を識別する端末識別情報を取得する取得ステップと、ＵＥ７とスライス５とを対応付けた対応情報を参照して、取得ステップにおいて取得された端末識別情報が識別するＵＥ７に対応付けられたスライス５に当該ＵＥ７をアクセスさせるアクセスステップと、を含む。
2019035292.tif 000002
【特許請求の範囲】
【請求項１】
移動体通信のコアネットワークを構成する通信システムにより実行されるネットワークアクセス方法であり、非セルラ通信を行う通信端末を、サービスを提供するサービスネットワークにアクセスさせるネットワークアクセス方法であって、
前記通信端末から当該通信端末を識別する端末識別情報を取得する取得ステップと、
前記通信端末と前記サービスネットワークとを対応付けた対応情報を参照して、前記取得ステップにおいて取得された前記端末識別情報が識別する前記通信端末に対応付けられた前記サービスネットワークに当該通信端末をアクセスさせるアクセスステップと、
を含むネットワークアクセス方法。
【請求項２】
前記対応情報は、前記通信端末と当該通信端末が利用可能な前記サービスネットワークとを対応付け、
前記アクセスステップは、前記対応情報を参照して、前記取得ステップにおいて取得された前記端末識別情報が識別する前記通信端末が利用可能な前記サービスネットワークに当該通信端末をアクセスさせる、
請求項１に記載のネットワークアクセス方法。
【請求項３】
前記対応情報は、前記通信端末と当該通信端末が現在位置に基づいて利用可能な前記サービスネットワークとを対応付け、
前記アクセスステップは、前記対応情報を参照して、前記取得ステップにおいて取得された前記端末識別情報が識別する前記通信端末が現在位置に基づいて利用可能な前記サービスネットワークに当該通信端末をアクセスさせる、
請求項１に記載のネットワークアクセス方法。
【請求項４】
前記取得ステップは、前記通信端末から、アクセスを要求する前記サービスネットワークを識別するネットワーク識別情報をさらに取得し、
前記アクセスステップは、前記取得ステップにおいて取得された前記ネットワーク識別情報が識別する前記サービスネットワークにさらに基づいた前記サービスネットワークに前記通信端末をアクセスさせる、
請求項１〜３の何れか一項に記載のネットワークアクセス方法。
【請求項５】
前記通信システムは、前記移動体通信における移動を管理する移動管理機能を含み、
前記通信システムは、前記通信端末から、アクセスを要求する前記サービスネットワークを識別するネットワーク識別情報を取得し、取得した前記ネットワーク識別情報が識別する前記サービスネットワークを管理する前記移動管理機能を選択し、選択した前記移動管理機能において前記取得ステップ及び前記アクセスステップを実行させる、
請求項１〜４の何れか一項に記載のネットワークアクセス方法。
【請求項６】
移動体通信のコアネットワークを構成する通信システムであり、非セルラ通信を行う通信端末を、サービスを提供するサービスネットワークにアクセスさせる通信システムであって、
前記通信端末から当該通信端末を識別する端末識別情報を取得する取得部と、
前記端末識別情報と前記サービスネットワークとを対応付けた対応情報を参照して、前記取得部によって取得された前記端末識別情報に対応付けられた前記サービスネットワークに当該端末識別情報が識別する前記通信端末をアクセスさせるアクセス部と、
を備える通信システム。
【発明の詳細な説明】
【技術分野】
【０００１】
移動体通信のコアネットワークを構成する通信システムにより実行されるネットワークアクセス方法であり、非セルラ通信を行う通信端末を、サービスを提供するサービスネットワークにアクセスさせるネットワークアクセス方法に関する。
【背景技術】
【０００２】
下記非特許文献１では、第５世代移動通信システム（5th  Generation）のコアネットワークである５ＧＣ（5G  Core  Network）に関するアーキテクチャが開示されている。
【先行技術文献】
【非特許文献】
【０００３】
【非特許文献１】３ＧＰＰ  ＴＳ  ２３．５０１  Ｖ１．２．０  （２０１７−０７）
【発明の概要】
【発明が解決しようとする課題】
【０００４】
上述の５ＧＣにおいて想定されている、ＵＥ（User  Equipment）から、所定のサービスを提供する論理的なネットワークであるスライス（Network  Slice）へのアクセスは、５Ｇのアクセス方式を活用することが前提である。それゆえに、５Ｇのアクセス方式ではない非セルラ通信を行うＵＥは、５ＧＣが管理するスライスにアクセスできないという問題がある。【０００５】
そこで上記問題を解決するために、移動体通信において、非セルラ通信を行う通信端末が、サービスを提供するサービスネットワークにアクセスすることができるネットワークアクセス方法を提供することを目的とする。
【課題を解決するための手段】
【０００６】
上述の課題を解決するために、本発明の一側面に係るネットワークアクセス方法は、移動体通信のコアネットワークを構成する通信システムにより実行されるネットワークアクセス方法であり、非セルラ通信を行う通信端末を、サービスを提供するサービスネットワークにアクセスさせるネットワークアクセス方法であって、通信端末から当該通信端末を識別する端末識別情報を取得する取得ステップと、通信端末とサービスネットワークとを対応付けた対応情報を参照して、取得ステップにおいて取得された端末識別情報が識別する通信端末に対応付けられたサービスネットワークに当該通信端末をアクセスさせるアクセスステップと、を含む。【０００７】
このようなネットワークアクセス方法によれば、移動体通信において、非セルラ通信を行う通信端末から当該通信端末を識別する端末識別情報が取得され、非セルラ通信を行う通信端末とサービスを提供するサービスネットワークとを対応付けた対応情報を参照して、取得された端末識別情報が識別する非セルラ通信を行う通信端末に対応付けられたサービスネットワークに当該非セルラ通信を行う通信端末がアクセスさせられる。すなわち、移動体通信において、非セルラ通信を行う通信端末が、サービスを提供するサービスネットワークにアクセスすることができる。
【発明の効果】
【０００８】
移動体通信において、非セルラ通信を行う通信端末が、サービスを提供するサービスネットワークにアクセスすることができる。
【図面の簡単な説明】
【０００９】
【図１】本発明の実施形態に係る通信システムのシステム構成図である。
【図２】Ｎ３ＩＷＦの機能ブロック図である。
【図３】ＡＭＦ情報のテーブル例を示す図である。
【図４】ＡＭＦの機能ブロック図である。
【図５】スライス情報のテーブル例を示す図である。
【図６】ＵＤＭの機能ブロック図である。
【図７】端末スライス情報のテーブル例を示す図である。
【図８】ＮＳＳＦの機能ブロック図である。
【図９】位置スライス情報のテーブル例を示す図である。
【図１０】本発明の実施形態に係るネットワークアクセス方法の処理を示すシーケンス図である。
【図１１】本発明の実施形態に係るネットワークアクセス方法の別の処理を示すシーケンス図である。
【図１２】Ｎ３ＩＷＦのハードウェア構成図である。
【図１３】ＡＭＦのハードウェア構成図である。
【図１４】ＵＤＭのハードウェア構成図である。
【図１５】ＮＳＳＦのハードウェア構成図である。
【発明を実施するための形態】
【００１０】
以下、図面とともにネットワークアクセス方法及び通信システムの実施形態について詳細に説明する。なお、図面の説明においては同一要素には同一符号を付し、重複する説明を省略する。また、以下の説明における実施形態は、本発明の具体例であり、特に本発明を限定する旨の記載がない限り、これらの実施形態に限定されないものとする。
【００１１】
図１は、本発明の実施形態に係る通信システム８のシステム構成図である。通信システム８は、移動体通信（セルラ、NextGen）のコアネットワークである５ＧＣを構成し、非３ＧＰＰ（3rd  Generation  Partnership  Project）ネットワークにて非セルラ通信（Ｗｉ−Ｆｉ（登録商標）通信等）を行う通信端末であるＵＥ７を、サービスを提供するサービスネットワークであるスライス５にアクセスさせる。
【００１２】
図１に示す通り、通信システム８は、Ｎ３ＩＷＦ（Non-3GPP  Interworking  Function）１、ＡＭＦ（Access  and  Mobility  Management  Function）２、ＵＤＭ（Unified  Data  Management）３、ＮＳＳＦ（Network  Slice  Selection  Function）４、ＲＡＮ（Radio  Access  Network）、ＮＲＦ（NF（Network  Function）  Repository  Function）及びスライス５（スライス５ａ及びスライス５ｂを含む総称）を含んで構成される。スライス５は、ＤＮＮ（Data  Network  Name）６（ＤＮＮ６ａ及びＤＮＮ６ｂを含む総称）、ＵＰＦ（User  Plane  Function）及びＳＭＦ（Session  Management  Function）を含んで構成される。
【００１３】
Ｎ３ＩＷＦ１、ＡＭＦ２、ＵＤＭ３、ＮＳＳＦ４、スライス５、ＤＮＮ、ＵＰＦ及びＳＭＦ、並びに後述のＵＥ７、ＳＳＴ（Slice/Service  Type）、ＳＤ（Slice  Differentiator）、ＮＳＳＩ（Network  Slice  Selection  Assistance  Information）、Ｓ−ＮＳＳＡＩ（Single  NSSI）、Ｓｕｂｓｃｒｉｂｅｄ  ＮＳＳＡＩ、Ａｌｌｏｗｅｄ  ＮＳＳＡＩ、ＮＳＩ−ＩＤ（Network  Slice  Instance  ID）、ＡＵＳＦ（Authentication  Server  Function）及びＮＡＳ（Non-Access-Stratum）等は、上記非特許文献１にて開示されている同名の用語が示す機能、ノード、情報、概念等と同等又は拡張したものである。上記非特許文献１にて開示されている内容（５ＧＣのアーキテクチャ等を含む）については説明を適宜省略する。なお、上記機能は、所定の一つ以上のコンピュータ装置にて実装され、上記ノードは、所定の一つ以上のコンピュータ装置により構成される。
【００１４】
スライス５は、ネットワーク装置のリンクとノードの資源を仮想的に切り分けて、切り分けた資源を結合し、ネットワークインフラ上に論理的に生成される仮想ネットワーク又はサービス網である。スライス５同士は資源を分離しており、互いに干渉しない。
【００１５】
同じく図１に示すＵＥ７は、非セルラ通信を行う通信端末である。ＵＥ７は、通信システム８に含まれるＮ３ＩＷＦ１に対して、信頼されている非３ＧＰＰアクセス及び信頼されていない非３ＧＰＰアクセスを行う。
【００１６】
図２は、Ｎ３ＩＷＦ１の機能ブロック図である。図２に示す通り、Ｎ３ＩＷＦ１は、ＡＭＦ選択部１０及びＡＭＦ情報格納部１１を含んで構成される。
【００１７】
ＡＭＦ選択部１０は、ＵＥ７から、信頼されている非３ＧＰＰアクセス又は信頼されていない非３ＧＰＰアクセスを介して、アクセスを要求するスライス５を識別するネットワーク識別情報と当該ＵＥ７を識別する端末識別情報とを含むアクセス要求を取得し、取得したアクセス要求に含まれるネットワーク識別情報が識別するスライス５を管理するＡＭＦ２を選択し、選択したＡＭＦ２に対して、取得したアクセス要求を転送（リダイレクト）する。より具体的には、ＡＭＦ選択部１０は、ＡＭＦ情報格納部１１によって格納されたＡＭＦ情報を参照し、ＡＭＦ情報において、取得したアクセス要求に含まれるネットワーク識別情報が識別するスライス５に対応付けられたＡＭＦ２を選択する。ＡＭＦ情報は、スライス５と当該スライス５を管理するＡＭＦ２とを対応付けた情報である。
【００１８】
また、ＡＭＦ選択部１０は、ＡＭＦ２へのアクセス要求の転送の応答としてＡＭＦ２から送信されたＡｌｌｏｗｅｄ  ＮＳＳＡＩを含むメッセージを、ＵＥ７に送信する。
【００１９】
ＡＭＦ情報格納部１１は、ＡＭＦ情報を格納する。図３は、ＡＭＦ情報格納部１１によって格納されたＡＭＦ情報のテーブル例を示す図である。図３に示す通り、ＡＭＦ情報のテーブル例では、スライス５を識別するＳｕｂｓｃｒｉｂｅｄ  ＮＳＳＡＩと、当該スライス５を管理するＡＭＦを識別するＡＭＦ識別情報とが対応付けられている。Ｓｕｂｓｃｒｉｂｅｄ  ＮＳＳＡＩは、スライス５が提供するサービスのサービス種別を識別するＳＳＴと、当該スライス５を区別するＳＤとを含んで構成される。なお、ＳＤはオプションであり、Ｓｕｂｓｃｒｉｂｅｄ  ＮＳＳＡＩはＳＤを含まずに構成されてもよい。また、ＳＳＴ及びＳＤのペア、又はＳＳＴ単独をＳ−ＮＳＳＡＩと呼ぶ。
【００２０】
例えば、ＡＭＦ選択部１０は、ＵＥ７から、ネットワーク識別情報「ＳＳＴ２」及び「ＳＤ２」を含むアクセス要求を取得した場合、図３に示すＡＭＦ情報のテーブル例を参照し、ネットワーク識別情報「ＳＳＴ２」及び「ＳＤ２」に対応付けられたＡＭＦ識別情報「ＡＭＦ２」を抽出し、抽出したＡＭＦ識別情報「ＡＭＦ２」が識別するＡＭＦ２に対して、取得したアクセス要求を転送する。なお転送先であるＡＭＦ２のアドレスについては、Ｎ３ＩＷＦ１又は通信システム８に含まれる他のノード又は機能に予め格納された、ＡＭＦ識別情報と当該ＡＭＦ識別情報が示すＡＭＦ２のアドレスとが対応付けられた情報に基づいて取得される。本実施形態において、各ノード又は各機能のアドレスについては同様に取得される。
【００２１】
ＡＭＦ選択部１０がＵＥ７から取得するアクセス要求は、ネットワーク識別情報を含まなくてもよい。その場合、ＡＭＦ選択部１０は、ＵＥ７の位置情報等に基づいて、デフォルトのＡＭＦ２に転送する。また、ＡＭＦ情報においてアクセス要求に含まれるネットワーク識別情報に対応付けられたＡＭＦ識別情報が無い場合も、ＡＭＦ選択部１０は、ＵＥ７の位置情報等に基づいて、デフォルトのＡＭＦ２に転送する。なお、ＵＥ７の位置情報は、ＵＥ７から取得してもよいし、アクセス要求に含まれる端末識別情報に基づいて通信システム８に含まれる他のノード又は機能等に問い合わせることで取得してもよい。Ｎ３ＩＷＦ１以外の通信システム８に含まれるノード又は機能は、同様にしてＵＥ７の位置情報を取得する。
【００２２】
図４は、ＡＭＦ２の機能ブロック図である。図４に示す通り、ＡＭＦ２は、スライス選択部２０及びスライス情報格納部２１を含んで構成される。ＡＭＦ２は、通信システム８において移動体通信における移動を管理する移動管理機能である。
【００２３】
スライス選択部２０は、ＵＥ７からＮ３ＩＷＦ１を介してアクセス要求を取得し、ＵＥ７とスライス５とを対応付けた対応情報を参照して、取得したアクセス要求に含まれる端末識別情報が識別するＵＥ７に対応付けられたスライス５に関する情報を当該ＵＥ７に送信することで、当該スライス５に当該ＵＥ７をアクセスさせる。より具体的には、スライス選択部２０は、ＵＥ７と当該ＵＥ７が利用可能なスライス５とを対応付けた端末スライス情報（対応情報）を参照して、取得したアクセス要求に含まれる端末識別情報が識別するＵＥ７に対応付けられた当該ＵＥ７が利用可能なスライス５に関する情報を当該ＵＥ７に送信することで、当該スライス５に当該ＵＥ７をアクセスさせる。また、スライス選択部２０は、ＵＥ７と当該ＵＥ７が現在位置に基づいて利用可能なスライス５とを対応付けた位置スライス情報（対応情報）を参照して、取得したアクセス要求に含まれる端末識別情報が識別するＵＥ７に対応付けられた当該ＵＥ７が現在位置に基づいて利用可能なスライス５に関する情報を当該ＵＥ７に送信することで、当該スライス５に当該ＵＥ７をアクセスさせる。また、スライス選択部２０は、取得したアクセス要求に含まれるネットワーク識別情報が識別するスライス５にさらに基づいたスライス５に関する情報をＵＥ７に送信することで、当該スライス５に当該ＵＥ７をアクセスさせる。以下、具体的に説明する。
【００２４】
スライス選択部２０は、ＵＥ７からＮ３ＩＷＦ１を介してアクセス要求を取得すると、取得したアクセス要求に含まれる端末識別情報を含むスライス選択データ要求をＵＤＭ３に送信する。後述するが、ＵＤＭ３では端末スライス情報が参照され、スライス選択部２０は、スライス選択データ要求の応答として、ＵＥ７が利用可能なスライス５を識別するＳｕｂｓｃｒｉｂｅｄ  ＮＳＳＡＩを含むスライス選択データ応答を受信する。
【００２５】
次に、スライス選択部２０は、取得したアクセス要求に含まれる端末識別情報に基づいて、ＵＥ７の位置情報を取得する。次に、スライス選択部２０は、取得したアクセス要求に含まれるネットワーク識別情報と、受信したスライス選択データ応答に含まれるＳｕｂｓｃｒｉｂｅｄ  ＮＳＳＡＩと、取得したＵＥ７の位置情報とを含むスライス選択要求をＮＳＳＦ４に送信する。後述するが、ＮＳＳＦ４では位置スライス情報が参照され、スライス選択部２０は、スライス選択要求の応答として、ＵＥ７が現在位置に基づいて利用可能なスライス５を識別するＡｌｌｏｗｅｄ  ＮＳＳＡＩと、当該スライス５を管理するＡＭＦ２を識別するＡＭＦ識別情報とを含むスライス選択応答を受信する。
【００２６】
次に、スライス選択部２０は、スライス選択応答に含まれるＡＭＦ識別情報が識別するＡＭＦ２が、自機能（ＡＭＦ２）であるか否かを判定する。自機能であると判定すると、スライス選択部２０は、ＡＵＳＦを呼び出し、ＵＥ７の認証及びＮＡＳセキュリティ設定を実行する。次に、スライス選択部２０は、ＵＥ７からのアクセス要求の応答として、スライス選択応答に含まれるＡｌｌｏｗｅｄ  ＮＳＳＡＩを含むメッセージを、Ｎ３ＩＷＦ１を介してＵＥ７に送信する。なお、上述の判定において、自機能では無いと判定すると、スライス選択部２０は、スライス選択応答に含まれるＡＭＦ識別情報が識別するＡＭＦ２のアドレスをＮＲＦに問い合わせ、問い合わせの結果得られた（自機能とは異なる）ＡＭＦ２に対して、スライス選択応答に含まれるＡｌｌｏｗｅｄ  ＮＳＳＡＩと共にリダイレクトし、リダイレクト先のＡＭＦ２にて、上述のＵＥ７の認証及びＮＡＳセキュリティ設定の実行及びＵＥ７へのＡｌｌｏｗｅｄ  ＮＳＳＡＩを含むメッセージの送信を行う。
【００２７】
スライス情報格納部２１は、スライス５に関するスライス情報を格納する。図５（ａ）は、スライス選択部２０によるＵＤＭ３及びＮＳＳＦ４との通信によって得られたスライス情報のテーブル例である。図５（ａ）に示すスライス情報のテーブル例では、ＵＥ７を識別する端末識別情報と、当該ＵＥ７が利用可能なスライス５を識別するＳｕｂｓｃｒｉｂｅｄ  ＮＳＳＡＩと、当該スライス５を構成するＤＮＮ６を識別するＤＮＮ識別情報と、当該ＵＥ７の現在位置に基づいて利用可能なスライス５を識別するＡｌｌｏｗｅｄ  ＮＳＳＡＩとが対応付けられている。Ｓｕｂｓｃｒｉｂｅｄ  ＮＳＳＡＩ及びＡｌｌｏｗｅｄ  ＮＳＳＡＩはそれぞれ、ＳＳＴとＳＤとを含んで構成される。なお、Ａｌｌｏｗｅｄ  ＮＳＳＡＩのＳＤはオプションであり、Ａｌｌｏｗｅｄ  ＮＳＳＡＩはＳＤを含まずに構成されてもよい。図５（ａ）に示すスライス情報のテーブル例において、例えば、ＵＤＭ３との通信によって端末識別情報とＳｕｂｓｃｒｉｂｅｄ  ＮＳＳＡＩとＤＮＮ識別情報との対応付けがスライス選択部２０によって更新され、ＮＳＳＦ４との通信によってさらにＡｌｌｏｗｅｄ  ＮＳＳＡＩとの対応付けがスライス選択部２０によって更新される。
【００２８】
一方、図５（ｂ）は、ＡＭＦ２がサポートするスライス５に関するスライス情報のテーブル例である。図５（ｂ）に示すスライス情報のテーブル例では、ＡＭＦ２の識別情報であるＡＭＦ識別情報と、当該ＡＭＦ２がサポート（管理）するスライス５を識別するＳＳＴ（Ｓｕｐｐｏｒｔｅｄ  ＳＳＴ）及びＳＤ（Ｓｕｐｐｏｒｔｅｄ  ＳＤ）と、当該スライス５を構成するＤＮＮ６を識別するＤＮＮ識別情報とが対応付けられている。ＡＭＦ２は、上述のスライス情報を参照して、ＵＥ７をアクセスさせようとしているスライス５を自機能がサポートしているか否かを判定し、サポートしていないと判定した場合、他のＡＭＦ２を探して適宜リダイレクトする。
【００２９】
図６は、ＵＤＭ３の機能ブロック図である。図６に示す通り、ＵＤＭ３は、スライス選択部３０及び端末スライス情報格納部３１を含んで構成される。
【００３０】
スライス選択部３０は、ＡＭＦ２からスライス選択データ要求を受信すると、端末スライス情報格納部３１によって格納された端末スライス情報を参照し、スライス選択データ要求に含まれる端末識別情報が識別するＵＥ７が利用可能なスライス５を識別するＳｕｂｓｃｒｉｂｅｄ  ＮＳＳＡＩを抽出し、抽出したＳｕｂｓｃｒｉｂｅｄ  ＮＳＳＡＩを含むスライス選択データ応答をＡＭＦ２に送信する。
【００３１】
端末スライス情報格納部３１は、端末スライス情報を格納する。図７は、端末スライス情報のテーブル例を示す図である。図７に示す通り、端末スライス情報のテーブル例では、ＵＥ７を識別する端末識別情報と、当該ＵＥ７が利用可能なスライス５を識別するＳｕｂｓｃｒｉｂｅｄ  ＮＳＳＡＩと、当該スライス５を構成するＤＮＮ６を識別するＤＮＮ識別情報とが対応付けられている。Ｓｕｂｓｃｒｉｂｅｄ  ＮＳＳＡＩは、ＳＳＴとＳＤとを含んで構成される。
【００３２】
例えば、スライス選択部３０は、ＡＭＦ２から、端末識別情報「ＢＢＢ」を含むスライス選択データ要求を受信した場合、図７に示す端末スライス情報のテーブル例を参照し、端末識別情報「ＢＢＢ」に対応付けられたＳｕｂｓｃｒｉｂｅｄ  ＮＳＳＡＩのＳＳＴ「ＳＳＴ２」及びＳＤ「ＳＤ２」を抽出し、抽出したＳｕｂｓｃｒｉｂｅｄ  ＮＳＳＡＩを含むスライス選択データ応答をＡＭＦ２に送信する。
【００３３】
図８は、ＮＳＳＦ４の機能ブロック図である。図８に示す通り、ＮＳＳＦ４は、スライス選択部４０及び位置スライス情報格納部４１を含んで構成される。なお、ＮＳＳＦ４は、各スライス５のトポロジ、スライス５の構成ノード、及びＡＭＦ２の管理範囲を把握しているものとする。
【００３４】
スライス選択部４０は、ＡＭＦ２からスライス選択要求を受信すると、位置スライス情報格納部４１によって格納された位置スライス情報を参照し、スライス選択要求に含まれる端末識別情報が識別するＵＥ７が現在位置に基づいて利用可能なスライス５を識別するＡｌｌｏｗｅｄ  ＮＳＳＡＩと、当該スライス５を管理するＡＭＦ２を識別するＡＭＦ識別情報とを含むスライス選択応答をＡＭＦ２に送信する。なお、スライス選択部４０は、スライス選択要求に含まれるネットワーク識別情報が識別するスライス５にさらに基づいたＡｌｌｏｗｅｄ  ＮＳＳＡＩを抽出してもよい。例えば、スライス選択部４０は、スライス選択要求に含まれる端末識別情報が識別するＵＥ７が現在位置に基づいて利用可能なスライス５のうち、スライス選択要求に含まれるネットワーク識別情報が識別するスライス５をＡｌｌｏｗｅｄ  ＮＳＳＡＩとして抽出する。
【００３５】
位置スライス情報格納部４１は、位置スライス情報を格納する。図９は、位置スライス情報のテーブル例を示す図である。図９に示す通り、位置スライス情報のテーブル例では、位置情報（例えば、移動体通信における所定の通信範囲であるエリアを示す情報）と、当該位置情報が示す位置においてスライス５を管理するＡＭＦ２を識別するＡＭＦ識別情報と、当該位置情報が示す位置において当該ＡＭＦ２が管理するスライス５に含まれるＳｕｂｓｃｒｉｂｅｄ  ＮＳＳＡＩと、当該位置情報が示す位置において利用可能な当該ＡＭＦ２が管理するスライス５に含まれるＡｌｌｏｗｅｄ  ＮＳＳＡＩと、当該Ａｌｌｏｗｅｄ  ＮＳＳＡＩが識別するスライス５のインスタンスを識別するＮＳＩ−ＩＤ（オプション）とが対応付けられている。Ｓｕｂｓｃｒｉｂｅｄ  ＮＳＳＡＩ及びＡｌｌｏｗｅｄ  ＮＳＳＡＩはそれぞれ、ＳＳＴとＳＤとを含んで構成される。なお、Ａｌｌｏｗｅｄ  ＮＳＳＡＩのＳＤはオプションであり、Ａｌｌｏｗｅｄ  ＮＳＳＡＩはＳＤを含まずに構成されてもよい。また、Ａｌｌｏｗｅｄ  ＮＳＳＡＩは、Ｓｕｂｓｃｒｉｂｅｄ  ＮＳＳＡＩの部分集合であってもよい。すなわち、ＵＥ７が現在位置に基づいて利用可能なスライス５の集合は、ＵＥ７が利用可能なスライス５の集合の部分集合であってもよい。また、ＮＳＩ−ＩＤは、アクセスすべきノードの名前等の情報が対応付けられる。
【００３６】
例えば、スライス選択部４０は、ＡＭＦ２から、ＵＥ７の位置情報「Ａｒｅａ１」とＳｕｂｓｃｒｉｂｅｄ  ＮＳＳＡＩのＳＳＴ「ＳＳＴ２」及びＳＤ「ＳＤ２」とを含むスライス選択要求を受信した場合、図９に示す位置スライス情報のテーブル例を参照し、位置情報「Ａｒｅａ１」並びにＳｕｂｓｃｒｉｂｅｄ  ＮＳＳＡＩのＳＳＴ「ＳＳＴ２」及びＳＤ「ＳＤ２」に対応付けられた、Ａｌｌｏｗｅｄ  ＮＳＳＡＩのＳＳＴ「ＳＳＴ２」及びＳＤ「ＳＤ２」並びにＡＭＦ識別情報「ＡＭＦ２」を抽出し、抽出したＡｌｌｏｗｅｄ  ＮＳＳＡＩ及びＡＭＦ識別情報を含むスライス選択応答をＡＭＦ２に送信する。
【００３７】
続いて、図１０及び図１１に示すシーケンス図を用いて、本発明の実施形態に係るネットワークアクセス方法の処理について説明する。なお、図１１に示すシーケンス図は、図１０に示すシーケンス図のＳ１１において、自機能では無いと判定された場合の処理を示す。
【００３８】
図１０において、まず、ＵＥ７がスライス５へのアクセスを要求するにあたって、ＵＥ７が信頼されていない非３ＧＰＰアクセスにアクセスし、ＵＥ７に対してＩＰアドレスが付与される（ステップＳ１）。次に、ＵＥ７がＮ３ＩＷＦ１のＩＰアドレスを（既存技術により）発見する（ステップＳ２）。次に、ＵＥ７とＮ３ＩＷＦ１との間でＩＰＳｅｃが確立される（ステップＳ３）。次に、ＵＥ７からＮ３ＩＷＦ１に対して、アクセス要求が送信される（ステップＳ４）。例えば、アクセス要求は「IKE_AUTH  request  (AN-Param[Requested  NSSAI,  (S-NSSAI#1,  SD#1)UE  ID],  NAS  Registration  request[Requested  NSSAI,  DNN#1])」等と示される。次に、Ｎ３ＩＷＦ１のＡＭＦ選択部１０により、ＡＭＦ２の選択が行われる（ステップＳ５）。次に、Ｎ３ＩＷＦ１のＡＭＦ選択部１０により、Ｓ５にて選択されたＡＭＦ２に対して、アクセス要求が転送される（ステップＳ６）。例えば、転送されるアクセス要求は「N2  msg  (NAS  Reg.  Req.[Requested  NSSAI(S-NSSAI#1,  SD#1),  DNN#1],  UE  ID)」等と示される。
【００３９】
次に、ＡＭＦ２のスライス選択部２０により、ＵＤＭ３に対してスライス選択データ要求が送信される（ステップＳ７）。例えば、スライス選択データ要求は「Slice  Selection  Data  Req.  (UE  ID)」等と示される。次に、ＵＤＭ３のスライス選択部３０により、ＡＭＦ２に対してスライス選択データ応答が送信される（ステップＳ８）。例えば、スライス選択データ応答は「Slice  Selection  Data  Res.  (Subscribed  NSSAI)」等と示される。次に、ＡＭＦ２のスライス選択部２０により、ＮＳＳＦ４に対してスライス選択要求が送信される（ステップＳ９）。例えば、スライス選択要求は「Slice  Selection  Req.  (Requested  NSSAI,  Subscribed  NSSAI,  UE  location)」等と示される。次に、ＮＳＳＦ４のスライス選択部４０により、ＡＭＦ２に対してスライス選択応答が送信される（ステップＳ１０）。スライス選択応答は「Slice  Selection  Res.  (Selected  AMF  Set  or  selected  AMF  list,  Allowed  NSSAI  [NSI-ID])」等と示される。
【００４０】
次に、ＡＭＦ２のスライス選択部２０により、スライス選択応答に含まれるＡＭＦ識別情報が、自機能であるか否かが判定される（ステップＳ１１）。Ｓ１１にて自機能であると判定された場合、ＡＭＦ２によりＡＵＳＦが呼び出され、ＵＥ７の認証及びＮＡＳセキュリティ設定が実行される（ステップＳ１２）。次に、ＡＭＦ２のスライス選択部２０により、Ａｌｌｏｗｅｄ  ＮＳＳＡＩを含むメッセージが、Ｎ３ＩＷＦ１に送信される（ステップＳ１３）。例えば、当該メッセージは「N2  msg  (NAS  Registration  Accept  [Allowed  NSSAI])」等と示される。次に、Ｎ３ＩＷＦ１のＡＭＦ選択部１０により、ＵＥ７に対して、アクセス要求が成功した旨の応答が送信される（ステップＳ１４）。例えば、当該応答は「IKE_AUTH  res.  (success)」等と示される。次に、Ｎ３ＩＷＦ１のＡＭＦ選択部１０により、ＵＥ７に対して、Ａｌｌｏｗｅｄ  ＮＳＳＡＩを含むメッセージが送信される（ステップＳ１５）。例えば、当該メッセージは「IPsec  (NAS  Registration  Accept  [Allowed  NSSAI]」等と示される。
【００４１】
図１１は、上述の通り、図１０に示すシーケンス図のＳ１１において、自機能では無いと判定された場合の処理を示すシーケンス図である。図１１において、まず、図１０に示すシーケンス図のＳ１〜Ｓ１１と同様の処理が行われる。次にＳ１１において自機能では無いと判定された場合、ＡＭＦ２のスライス選択部２０により、ＮＲＦに対して、スライス選択応答に含まれるＡＭＦ識別情報が識別するＡＭＦ２ａのアドレスの問い合わせが行われる（ステップＳ２０）。当該問い合わせは「NF  Discovery  Req.  (NF  Type  (AMF),  AMF  Set  and/or  NSI-ID)」等と示される。次に、ＮＲＦにより、ＡＭＦ２に対して、ＡＭＦ２ａのアドレスを含む応答が送信される（ステップＳ２１）。当該応答は「NF  Discovery  Res.  (AMF2  address)」等と示される。次に、ＡＭＦ２のスライス選択部２０により、ＡＭＦ２ａに対して、スライス選択応答に含まれるＡｌｌｏｗｅｄ  ＮＳＳＡＩと共にリダイレクトされる（ステップＳ２２）。当該リダイレクトは「AMF  redirect  (Allowed  NSSAI  [NSI-ID])」等と示される。次に、ＡＭＦ２ａによりＡＵＳＦが呼び出され、ＵＥ７の認証及びＮＡＳセキュリティ設定が実行される（ステップＳ２３）。次に、ＡＭＦ２ａのスライス選択部２０ａにより、Ａｌｌｏｗｅｄ  ＮＳＳＡＩを含むメッセージが、Ｎ３ＩＷＦ１に送信される（ステップＳ２４）。例えば、当該メッセージは「N2  msg  (NAS  Registration  Accept  [Allowed  NSSAI])」等と示される。以降の処理は図１０に示すシーケンス図のＳ１４及びＳ１５と同様の処理が行われる。
【００４２】
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００４３】
例えば、本発明の一実施形態におけるＮ３ＩＷＦ１などは、本発明の実施形態に係るネットワークアクセス方法の処理を行うコンピュータとして機能してもよい。図１２は、本発明の一実施形態に係るＮ３ＩＷＦ１のハードウェア構成の一例を示す図である。上述のＮ３ＩＷＦ１は、物理的には、プロセッサ１００１、メモリ１００２、ストレージ１００３、通信装置１００４、入力装置１００５、出力装置１００６、バス１００７などを含むコンピュータ装置として構成されてもよい。
【００４４】
なお、以下の説明では、「装置」という文言は、回路、デバイス、ユニットなどに読み替えることができる。Ｎ３ＩＷＦ１のハードウェア構成は、図に示した各装置を１つ又は複数含むように構成されてもよいし、一部の装置を含まずに構成されてもよい。
【００４５】
Ｎ３ＩＷＦ１における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００４６】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、上述のＡＭＦ選択部１０などは、プロセッサ１００１で実現されてもよい。
【００４７】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施形態で説明した動作の少なくとも一部をコンピュータに実行させるプログラムが用いられる。例えば、ＡＭＦ選択部１０は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００４８】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施形態に係るネットワークアクセス方法の処理を実施するために実行可能なプログラム（プログラムコード）、ソフトウェアモジュールなどを保存することができる。
【００４９】
ストレージ１００３は、コンピュータ読み取り可能な記録媒体であり、例えば、ＣＤ−ＲＯＭ（Compact  Disc  ROM）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００５０】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、ＡＭＦ選択部１０などは、通信装置１００４で実現されてもよい。
【００５１】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【００５２】
また、プロセッサ１００１やメモリ１００２などの各装置は、情報を通信するためのバス１００７で接続される。バス１００７は、単一のバスで構成されてもよいし、装置間で異なるバスで構成されてもよい。
【００５３】
また、Ｎ３ＩＷＦ１は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００５４】
また例えば、本発明の一実施形態におけるＡＭＦ２などは、本発明の実施形態に係るネットワークアクセス方法の処理を行うコンピュータとして機能してもよい。図１３は、本発明の一実施形態に係るＡＭＦ２のハードウェア構成の一例を示す図である。上述のＡＭＦ２は、物理的には、プロセッサ２００１、メモリ２００２、ストレージ２００３、通信装置２００４、入力装置２００５、出力装置２００６、バス２００７などを含むコンピュータ装置として構成されてもよい。
【００５５】
ＡＭＦ２における各機能は、プロセッサ２００１、メモリ２００２などのハードウェア上に所定のソフトウェアを読み込ませることで、プロセッサ２００１が演算を行い、通信装置２００４による通信や、メモリ２００２及びストレージ２００３におけるデータの読み出し及び／又は書き込みを制御することで実現される。
【００５６】
プロセッサ２００１は、例えば、オペレーティングシステムを動作させてコンピュータ全体を制御する。プロセッサ２００１は、周辺装置とのインターフェース、制御装置、演算装置、レジスタなどを含む中央処理装置で構成されてもよい。例えば、上述のスライス選択部２０などは、プロセッサ２００１で実現されてもよい。
【００５７】
また、プロセッサ２００１は、プログラム、ソフトウェアモジュールやデータを、ストレージ２００３及び／又は通信装置２００４からメモリ２００２に読み出し、これらに従って各種の処理を実行する。プログラムとしては、上述の実施形態で説明した動作の少なくとも一部をコンピュータに実行させるプログラムが用いられる。例えば、スライス選択部２０は、メモリ２００２に格納され、プロセッサ２００１で動作する制御プログラムによって実現されてもよく、他の機能ブロックについても同様に実現されてもよい。上述の各種処理は、１つのプロセッサ２００１で実行される旨を説明してきたが、２以上のプロセッサ２００１により同時又は逐次に実行されてもよい。プロセッサ２００１は、１以上のチップで実装されてもよい。なお、プログラムは、電気通信回線を介してネットワークから送信されても良い。
【００５８】
メモリ２００２は、コンピュータ読み取り可能な記録媒体であり、例えば、ＲＯＭ、ＥＰＲＯＭ、ＥＥＰＲＯＭ、ＲＡＭなどの少なくとも１つで構成されてもよい。メモリ２００２は、レジスタ、キャッシュ、メインメモリなどと呼ばれてもよい。メモリ２００２は、本発明の一実施形態に係るネットワークアクセス方法の処理を実施するために実行可能なプログラム、ソフトウェアモジュールなどを保存することができる。
【００５９】
ストレージ２００３は、コンピュータ読み取り可能な記録媒体であり、例えば、ＣＤ−ＲＯＭなどの光ディスク、ハードディスクドライブ、フレキシブルディスク、光磁気ディスク、スマートカード、フラッシュメモリ、フロッピーディスク、磁気ストリップなどの少なくとも１つで構成されてもよい。ストレージ２００３は、補助記憶装置と呼ばれてもよい。上述の記憶媒体は、例えば、メモリ２００２及び／又はストレージ２００３を含むデータベース、サーバその他の適切な媒体であってもよい。
【００６０】
通信装置２００４は、有線及び／又は無線ネットワークを介してコンピュータ間の通信を行うためのハードウェアであり、例えばネットワークデバイス、ネットワークコントローラ、ネットワークカード、通信モジュールなどともいう。例えば、スライス選択部２０などは、通信装置２００４で実現されてもよい。
【００６１】
入力装置２００５は、外部からの入力を受け付ける入力デバイスである。出力装置２００６は、外部への出力を実施する出力デバイスである。なお、入力装置２００５及び出力装置２００６は、一体となった構成であってもよい。
【００６２】
また、プロセッサ２００１やメモリ２００２などの各装置は、情報を通信するためのバス２００７で接続される。バス２００７は、単一のバスで構成されてもよいし、装置間で異なるバスで構成されてもよい。
【００６３】
また、ＡＭＦ２は、マイクロプロセッサ、デジタル信号プロセッサ、ＡＳＩＣ、ＰＬＤ、ＦＰＧＡなどのハードウェアを含んで構成されてもよく、当該ハードウェアにより、各機能ブロックの一部又は全てが実現されてもよい。例えば、プロセッサ２００１は、これらのハードウェアの少なくとも１つで実装されてもよい。
【００６４】
また例えば、本発明の一実施形態におけるＵＤＭ３などは、本発明の実施形態に係るネットワークアクセス方法の処理を行うコンピュータとして機能してもよい。図１４は、本発明の一実施形態に係るＵＤＭ３のハードウェア構成の一例を示す図である。上述のＵＤＭ３は、物理的には、プロセッサ３００１、メモリ３００２、ストレージ３００３、通信装置３００４、入力装置３００５、出力装置３００６、バス３００７などを含むコンピュータ装置として構成されてもよい。
【００６５】
ＵＤＭ３における各機能は、プロセッサ３００１、メモリ３００２などのハードウェア上に所定のソフトウェアを読み込ませることで、プロセッサ３００１が演算を行い、通信装置３００４による通信や、メモリ３００２及びストレージ３００３におけるデータの読み出し及び／又は書き込みを制御することで実現される。
【００６６】
プロセッサ３００１は、例えば、オペレーティングシステムを動作させてコンピュータ全体を制御する。プロセッサ３００１は、周辺装置とのインターフェース、制御装置、演算装置、レジスタなどを含む中央処理装置で構成されてもよい。例えば、上述のスライス選択部３０などは、プロセッサ３００１で実現されてもよい。
【００６７】
また、プロセッサ３００１は、プログラム、ソフトウェアモジュールやデータを、ストレージ３００３及び／又は通信装置３００４からメモリ３００２に読み出し、これらに従って各種の処理を実行する。プログラムとしては、上述の実施形態で説明した動作の少なくとも一部をコンピュータに実行させるプログラムが用いられる。例えば、スライス選択部３０は、メモリ３００２に格納され、プロセッサ３００１で動作する制御プログラムによって実現されてもよく、他の機能ブロックについても同様に実現されてもよい。上述の各種処理は、１つのプロセッサ３００１で実行される旨を説明してきたが、２以上のプロセッサ３００１により同時又は逐次に実行されてもよい。プロセッサ３００１は、１以上のチップで実装されてもよい。なお、プログラムは、電気通信回線を介してネットワークから送信されても良い。
【００６８】
メモリ３００２は、コンピュータ読み取り可能な記録媒体であり、例えば、ＲＯＭ、ＥＰＲＯＭ、ＥＥＰＲＯＭ、ＲＡＭなどの少なくとも１つで構成されてもよい。メモリ３００２は、レジスタ、キャッシュ、メインメモリなどと呼ばれてもよい。メモリ３００２は、本発明の一実施形態に係るネットワークアクセス方法の処理を実施するために実行可能なプログラム、ソフトウェアモジュールなどを保存することができる。
【００６９】
ストレージ３００３は、コンピュータ読み取り可能な記録媒体であり、例えば、ＣＤ−ＲＯＭなどの光ディスク、ハードディスクドライブ、フレキシブルディスク、光磁気ディスク、スマートカード、フラッシュメモリ、フロッピーディスク、磁気ストリップなどの少なくとも１つで構成されてもよい。ストレージ３００３は、補助記憶装置と呼ばれてもよい。上述の記憶媒体は、例えば、メモリ３００２及び／又はストレージ３００３を含むデータベース、サーバその他の適切な媒体であってもよい。
【００７０】
通信装置３００４は、有線及び／又は無線ネットワークを介してコンピュータ間の通信を行うためのハードウェアであり、例えばネットワークデバイス、ネットワークコントローラ、ネットワークカード、通信モジュールなどともいう。例えば、スライス選択部３０などは、通信装置３００４で実現されてもよい。
【００７１】
入力装置３００５は、外部からの入力を受け付ける入力デバイスである。出力装置３００６は、外部への出力を実施する出力デバイスである。なお、入力装置３００５及び出力装置３００６は、一体となった構成であってもよい。
【００７２】
また、プロセッサ３００１やメモリ３００２などの各装置は、情報を通信するためのバス３００７で接続される。バス３００７は、単一のバスで構成されてもよいし、装置間で異なるバスで構成されてもよい。
【００７３】
また、ＵＤＭ３は、マイクロプロセッサ、デジタル信号プロセッサ、ＡＳＩＣ、ＰＬＤ、ＦＰＧＡなどのハードウェアを含んで構成されてもよく、当該ハードウェアにより、各機能ブロックの一部又は全てが実現されてもよい。例えば、プロセッサ３００１は、これらのハードウェアの少なくとも１つで実装されてもよい。
【００７４】
また例えば、本発明の一実施形態におけるＮＳＳＦ４などは、本発明の実施形態に係るネットワークアクセス方法の処理を行うコンピュータとして機能してもよい。図１５は、本発明の一実施形態に係るＮＳＳＦ４のハードウェア構成の一例を示す図である。上述のＮＳＳＦ４は、物理的には、プロセッサ４００１、メモリ４００２、ストレージ４００３、通信装置４００４、入力装置４００５、出力装置４００６、バス４００７などを含むコンピュータ装置として構成されてもよい。
【００７５】
ＮＳＳＦ４における各機能は、プロセッサ４００１、メモリ４００２などのハードウェア上に所定のソフトウェアを読み込ませることで、プロセッサ４００１が演算を行い、通信装置４００４による通信や、メモリ４００２及びストレージ４００３におけるデータの読み出し及び／又は書き込みを制御することで実現される。
【００７６】
プロセッサ４００１は、例えば、オペレーティングシステムを動作させてコンピュータ全体を制御する。プロセッサ４００１は、周辺装置とのインターフェース、制御装置、演算装置、レジスタなどを含む中央処理装置で構成されてもよい。例えば、上述のスライス選択部４０などは、プロセッサ４００１で実現されてもよい。
【００７７】
また、プロセッサ４００１は、プログラム、ソフトウェアモジュールやデータを、ストレージ４００３及び／又は通信装置４００４からメモリ４００２に読み出し、これらに従って各種の処理を実行する。プログラムとしては、上述の実施形態で説明した動作の少なくとも一部をコンピュータに実行させるプログラムが用いられる。例えば、スライス選択部４０は、メモリ４００２に格納され、プロセッサ４００１で動作する制御プログラムによって実現されてもよく、他の機能ブロックについても同様に実現されてもよい。上述の各種処理は、１つのプロセッサ４００１で実行される旨を説明してきたが、２以上のプロセッサ４００１により同時又は逐次に実行されてもよい。プロセッサ４００１は、１以上のチップで実装されてもよい。なお、プログラムは、電気通信回線を介してネットワークから送信されても良い。
【００７８】
メモリ４００２は、コンピュータ読み取り可能な記録媒体であり、例えば、ＲＯＭ、ＥＰＲＯＭ、ＥＥＰＲＯＭ、ＲＡＭなどの少なくとも１つで構成されてもよい。メモリ４００２は、レジスタ、キャッシュ、メインメモリなどと呼ばれてもよい。メモリ４００２は、本発明の一実施形態に係るネットワークアクセス方法の処理を実施するために実行可能なプログラム、ソフトウェアモジュールなどを保存することができる。
【００７９】
ストレージ４００３は、コンピュータ読み取り可能な記録媒体であり、例えば、ＣＤ−ＲＯＭなどの光ディスク、ハードディスクドライブ、フレキシブルディスク、光磁気ディスク、スマートカード、フラッシュメモリ、フロッピーディスク、磁気ストリップなどの少なくとも１つで構成されてもよい。ストレージ４００３は、補助記憶装置と呼ばれてもよい。上述の記憶媒体は、例えば、メモリ４００２及び／又はストレージ４００３を含むデータベース、サーバその他の適切な媒体であってもよい。
【００８０】
通信装置４００４は、有線及び／又は無線ネットワークを介してコンピュータ間の通信を行うためのハードウェアであり、例えばネットワークデバイス、ネットワークコントローラ、ネットワークカード、通信モジュールなどともいう。例えば、スライス選択部４０などは、通信装置４００４で実現されてもよい。
【００８１】
入力装置４００５は、外部からの入力を受け付ける入力デバイスである。出力装置４００６は、外部への出力を実施する出力デバイスである。なお、入力装置４００５及び出力装置４００６は、一体となった構成であってもよい。
【００８２】
また、プロセッサ４００１やメモリ４００２などの各装置は、情報を通信するためのバス４００７で接続される。バス４００７は、単一のバスで構成されてもよいし、装置間で異なるバスで構成されてもよい。
【００８３】
また、ＮＳＳＦ４は、マイクロプロセッサ、デジタル信号プロセッサ、ＡＳＩＣ、ＰＬＤ、ＦＰＧＡなどのハードウェアを含んで構成されてもよく、当該ハードウェアにより、各機能ブロックの一部又は全てが実現されてもよい。例えば、プロセッサ４００１は、これらのハードウェアの少なくとも１つで実装されてもよい。
【００８４】
次に、本実施形態のように構成された通信システム８の作用効果について説明する。
【００８５】
本実施形態の通信システム８により実行されるネットワークアクセス方法によれば、５ＧＣの移動体通信において、非セルラ通信を行うＵＥ７から当該ＵＥ７を識別する端末識別情報が取得され、非セルラ通信を行うＵＥ７とサービスを提供するスライス５とを対応付けた対応情報を参照して、取得された端末識別情報が識別する非セルラ通信を行うＵＥ７に対応付けられたスライス５に当該非セルラ通信を行うＵＥ７がアクセスさせられる。すなわち、５ＧＣの移動体通信において、非セルラ通信を行うＵＥ７が、サービスを提供するスライス５にアクセスすることができる。
【００８６】
また、本実施形態の通信システム８により実行されるネットワークアクセス方法によれば、対応情報は、ＵＥ７とＵＥ７が利用可能なスライス５とが対応付けられ、対応情報を参照して、ＵＥ７から取得された端末識別情報が識別するＵＥ７が利用可能なスライス５に当該ＵＥ７がアクセスさせられる。これにより、５ＧＣの移動体通信において、非セルラ通信を行うＵＥ７が、当該ＵＥ７が利用可能なスライス５にアクセスすることができる。
【００８７】
また、本実施形態の通信システム８により実行されるネットワークアクセス方法によれば、対応情報は、ＵＥ７とＵＥ７が現在位置に基づいて利用可能なスライス５とが対応付けられ、対応情報を参照して、ＵＥ７から取得された端末識別情報が識別するＵＥ７が現在位置に基づいて利用可能なスライス５に当該ＵＥ７がアクセスさせられる。これにより、５ＧＣの移動体通信において、非セルラ通信を行うＵＥ７が、当該ＵＥ７が現在位置に基づいて利用可能なスライス５にアクセスすることができる。
【００８８】
また、本実施形態の通信システム８により実行されるネットワークアクセス方法によれば、ＵＥ７から取得されたネットワーク識別情報が識別するスライス５にさらに基づいたスライス５にＵＥ７がアクセスさせられる。これにより、５ＧＣの移動体通信において、非セルラ通信を行うＵＥ７が、例えば当該ＵＥ７が希望するスライス５にアクセスすることができる。
【００８９】
また、本実施形態の通信システム８により実行されるネットワークアクセス方法によれば、ＵＥ７から取得したネットワーク識別情報が識別するスライス５を管理するＡＭＦ２にて各処理が実行される。これにより、ＵＥ７がアクセスを要求するスライス５を管理するＡＭＦ２にて確実に処理が実行される。
【００９０】
以上の通り、本実施形態の通信システム８により実行されるネットワークアクセス方法により、非セルラ無線方式（Trusted／Untrusted）でアクセスするＵＥ７を５ＧＣを活用して複数の適切なスライスに振り分けることができる。具体的には、Ｎ３ＩＷＦ１とＡＭＦ２との間に従来技術には無い新たなインターフェースを作成すると共に、ＡＭＦ２、ＵＤＭ３及びＮＳＳＦ４にて、セルラ方式を用いない非セルラ通信を行うＵＥ７に関してもＵＥ７を識別する端末識別情報とアクセスすべきスライス５を識別するＮＳＳＡＩを対応させることで、非セルラ通信を行うＵＥ７が非セルラ無線方式を用いて通信システム８にアクセスした際にも適切なスライスに接続させることができる。
【００９１】
以上、本実施形態について詳細に説明したが、当業者にとっては、本実施形態が本明細書中に説明した実施形態に限定されるものではないということは明らかである。本実施形態は、特許請求の範囲の記載により定まる本発明の趣旨及び範囲を逸脱することなく修正及び変更態様として実施することができる。したがって、本明細書の記載は、例示説明を目的とするものであり、本実施形態に対して何ら制限的な意味を有するものではない。
【００９２】
情報の通知は、本明細書で説明した態様／実施形態に限られず、他の方法で行われてもよい。
【００９３】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００９４】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００９５】
本明細書において基地局によって行われるとした特定動作は、場合によってはその上位ノード（upper  node）によって行われることもある。基地局を有する１つまたは複数のネットワークノード（network  nodes）からなるネットワークにおいて、端末との通信のために行われる様々な動作は、基地局および／または基地局以外の他のネットワークノード（例えば、ＭＭＥまたはＳ−ＧＷなどが考えられるが、これらに限られない）によって行われ得ることは明らかである。上記において基地局以外の他のネットワークノードが１つである場合を例示したが、複数の他のネットワークノードの組み合わせ（例えば、ＭＭＥおよびＳ−ＧＷ）であってもよい。
【００９６】
情報等は、上位レイヤ（または下位レイヤ）から下位レイヤ（または上位レイヤ）へ出力され得る。複数のネットワークノードを介して入出力されてもよい。
【００９７】
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は他の装置へ送信されてもよい。
【００９８】
判定は、１ビットで表される値（０か１か）によって行われてもよいし、真偽値（Boolean：trueまたはfalse）によって行われてもよいし、数値の比較（例えば、所定の値との比較）によって行われてもよい。
【００９９】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１００】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１０１】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１０２】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１０３】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１０４】
なお、本明細書で説明した用語及び／又は本明細書の理解に必要な用語については、同一の又は類似する意味を有する用語と置き換えてもよい。
【０１０５】
本明細書で使用する「システム」および「ネットワーク」という用語は、互換的に使用される。
【０１０６】
また、本明細書で説明した情報、パラメータなどは、絶対値で表されてもよいし、所定の値からの相対値で表されてもよいし、対応する別の情報で表されてもよい。
【０１０７】
上述したパラメータに使用する名称はいかなる点においても限定的なものではない。さらに、これらのパラメータを使用する数式等は、本明細書で明示的に開示したものと異なる場合もある。
【０１０８】
基地局は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Remote  Radio  Head）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」「ｅＮＢ」、「セル」、および「セクタ」という用語は、本明細書では互換的に使用され得る。基地局は、固定局（fixed  station）、ＮｏｄｅＢ、ｅＮｏｄｅＢ（ｅＮＢ）、アクセスポイント（access  point）、フェムトセル、スモールセルなどの用語で呼ばれる場合もある。
【０１０９】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１１０】
本明細書で使用する「判断（determining）」、「決定（determining）」という用語は、多種多様な動作を包含する場合がある。「判断」、「決定」は、例えば、判定（judging）、計算（calculating）、算出（computing）、処理（processing）、導出（deriving）、調査（investigating）、探索（looking  up）（例えば、テーブル、データベースまたは別のデータ構造での探索）、確認（ascertaining）した事を「判断」「決定」したとみなす事などを含み得る。また、「判断」、「決定」は、受信（receiving）（例えば、情報を受信すること）、送信（transmitting）（例えば、情報を送信すること）、入力（input）、出力（output）、アクセス（accessing）（例えば、メモリ中のデータにアクセスすること）した事を「判断」「決定」したとみなす事などを含み得る。また、「判断」、「決定」は、解決（resolving）、選択（selecting）、選定（choosing）、確立（establishing）、比較（comparing）などした事を「判断」「決定」したとみなす事を含み得る。つまり、「判断」「決定」は、何らかの動作を「判断」「決定」したとみなす事を含み得る。
【０１１１】
「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０１１２】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１１３】
本明細書で使用する「第１の」、「第２の」などの呼称を使用した要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【０１１４】
「含む（including）」、「含んでいる（comprising）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。
【０１１５】
本開示の全体において、例えば、英語でのa、an及びtheのように、翻訳により冠詞が追加された場合、これらの冠詞は、文脈から明らかにそうではないことが示されていなければ、複数のものを含むものとする。
【符号の説明】
【０１１６】
１…Ｎ３ＩＷＦ、２…ＡＭＦ、３…ＵＤＭ、４…ＮＳＳＦ、５・５ａ・５ｂ…スライス、６・６ａ・６ｂ…ＤＮＮ、７…ＵＥ、８…通信システム、１０…ＡＭＦ選択部、１１…ＡＭＦ情報格納部、２０…スライス選択部、２１…スライス情報格納部、３０…スライス選択部、３１…端末スライス情報格納部、４０…スライス選択部、４１…位置スライス情報格納部。
【図１】
2019035292.tif 000003
【図２】
2019035292.tif 000004
【図３】
2019035292.tif 000005
【図４】
2019035292.tif 000006
【図５】
2019035292.tif 000007
【図６】
2019035292.tif 000008
【図７】
2019035292.tif 000009
【図８】
2019035292.tif 000010
【図９】
2019035292.tif 000011
【図１０】
2019035292.tif 000012
【図１１】
2019035292.tif 000013
【図１２】
2019035292.tif 000014
【図１３】
2019035292.tif 000015
【図１４】
2019035292.tif 000016
【図１５】
2019035292.tif 000017
【国際調査報告】
2019035292.tif 000018
2019035292.tif 000019
2019035292.tif 000020